(57)【要約】【目的】  後軸の後端に硬質印鑑と朱肉さらに消しゴムが設けられてなる印鑑付筆記具であって、従来の浸透印鑑を使用した印鑑付筆記具と比べても使い勝手にが遜色ない。【構成】  少なくとも一本をシャープペンシル筆記体とした複数の筆記体を搭載して、後軸の後端に印鑑が止着されると共に、後軸の外周部に長いキャップが着脱可能に固定されてなる印鑑付筆記具に於いて、後軸の後端に印面を後端側にして硬質印鑑が止着され、その印面に小間隔で対面する状態で前面に朱肉を保持したノック筒がキャップ内孔部後端にバネ力によってキャップに対して常時後方に附勢されると共に、バネ力に抗して小間隔より適宜大きな間隔で前進可能となした後、前進が阻止されるように係止部が設けられ、またノック筒の後端部に消しゴムが止着され、更に消しゴムを被覆して後端部外周にノックカバーが止着されてなる。【選択図】        図１
2006218662.tif 000002
【特許請求の範囲】
【請求項１】
軸筒の先方に少なくとも一本をシャープペンシル筆記体とした複数の筆記体を搭載して、軸先から選択的に筆記体の先端部を出没可能とし、シャープペンシル筆記体の先端部を軸先から突出したときに、軸筒の後端に設けた後軸を前後動して芯の繰出しが可能となり、さらに、後軸の後端に印鑑が止着されると共に、後軸の外周部に万年筆形の長いキャップが着脱可能に固定されてなる印鑑付筆記具に於いて、
前記後軸の後端に印面を後端側にして硬質印鑑が止着され、その印面に小間隔で対面する状態で前面に朱肉を保持したノック筒が前記キャップ内孔部後端にバネ力によってキャップに対して常時後方に附勢されると共に、バネ力に抗して前記小間隔より適宜大きな間隔で前進可能となした後、さらなる前進が阻止されるように係止部が設けられ、またノック筒の後端部がキャップ後端から突出するように設けられて、その後端部に消しゴムが止着され、さらに消しゴムを被覆して後端部外周にノックカバーが止着されてなることを特徴とする印鑑付筆記具。
【請求項２】
軸筒は先軸と中軸からなり、先軸と中軸の先方を互いに回転不能且つ抜け止め状態に嵌着する係合部を夫々設けて両者を固定し、中軸に一体化したガイド筒とガイド筒の複数の案内溝に、それぞれ筆記体をガイド筒と摺動コマとの間にリターンスプリングを附勢して前後動自在に嵌装し、軸方向に変位するカム斜面を前端部に円周状に設けた円筒カムをガイド筒または中軸に対し回転且つ軸推移可能に抜け止めし、各摺動コマをカム斜面に当接させることにより先軸または中軸に対する円筒カムの回転によって交互に前後動させて、各筆記体の先端を先軸の先端口から選択的に出没可能とした筆記具であって、前記円筒カムの後方外周に一体的に後軸が設けられてなる請求項１に記載の印鑑付筆記具。
【発明の詳細な説明】
【技術分野】
【０００１】
本発明は、複数の筆記体の先端を先軸先端口から出没自在とし、且つ後軸の後端に硬質印鑑を取付けた印鑑付筆記具の改良に関する。
【背景技術】
【０００２】
【特許文献１】特開平０７−２１４９８７
【特許文献２】登録実用新案第３００４１７８号
【特許文献３】特開平１１−３４４６３
【特許文献４】特開２０００−２２９４６６
【０００３】
特許文献１には、先軸と中軸の先方を互いに回転不能且つ抜け止め状態に嵌着する係合部を夫々設けて両者を固定し、中軸に一体化したガイド筒とガイド筒の複数の案内溝に、少なくとも一本をシャープペンシル筆記体として、それぞれ筆記体をガイド筒と摺動コマとの間にリターンスプリングを附勢して前後動自在に嵌装し、軸方向に変位するカム斜面を前端部に円周状に設けた円筒カムをガイド筒または中軸に対し回転且つ軸推移可能に抜け止めし、各摺動コマをカム斜面に当接させることにより先軸または中軸に対する円筒カムの回転によって交互に前後動させて、各筆記体の先端を先軸の先端口から選択的に出没可能とし、円筒カムの後方外周に一体的に後軸が設けられ、後軸の後端に無数の連続気孔を有した多孔性ゴム材料よりなる印判を使用した所謂、浸透印鑑が止着されて、後軸の外周部に後端閉塞状の万年筆形の長いキャップが印鑑の外周に非接触状態で着脱可能に固定され、シャープペンシル筆記体の先端部が先軸の先端口から突出した状態に於いて、先軸及び中軸に対するキャップの前後動でシャープ芯が繰り出されるように構成された印鑑付筆記具が示されている。
【０００４】
特許文献２には、印鑑を挿嵌する筒状ケースの上端に、印鑑の印面を突出させた状態で支持する固定環を設け、印面にかぶせるキャップの内面に、朱肉又はインキ浸透スポンジ等の朱肉を収容した受皿を摺動可能に嵌挿した嵌合枠を固定して受皿にコイルバネを作用させ、嵌合枠の受皿停止段部の先の円周部に施した複数の切込みを介して複数の弾性止片を突設し、かつ該弾性止片の先端部に固定環の周面に形成した環状溝に係止する係止突起を突出させたことを特徴とするケース入り印鑑が示されている。
【０００５】
特許文献３には、その請求項１において、「ケースと該ケースに被蓋するキャップとから成る印鑑ケースにおいて、キャップがキャップ本体の上方内部に、皿本体凹部を逆凹状に設けるとともに、該凹部に朱肉を盛り、その上端を該キャップ本体の頂面より上方に突出した朱肉皿を出入自在に案内するとともに、弾発力による突出端を位置決め保持して成る印鑑ケース。」と記載されている。
【０００６】
特許文献４には、「印鑑ケースは、公用印、訂正印等の印判体を着脱可能に収めるカバー胴体と、このカバー胴体に装着することにより、前記印判体の蓋の役割をするキャップ体とからなる印鑑ケースであって、前記キャップ体の外向側に開口を設け、この開口に前記キャップ体内に収まる印肉と一体にしてあるボタンを設け、このボタンを押すことにより印肉が移動し、この印肉が前記カバー胴体に収めてある前記印判体の印面に接触するように構成してあることを特徴とする。また、前記カバー胴体内に、前記印判体を挟持する挟持体を設けてあることを特徴とする。」と記載されている。
【０００７】
従来の印鑑付筆記具に用いられる印鑑は、無数の連続気孔を有した多孔性ゴム材料よりなる印判を使用した所謂、浸透印鑑であって、公用印として認められない場合が多く、今一利便性に不満がある。
公用印として認められるのは、朱肉等を使用する硬質印鑑である。硬質印鑑とは、柘植や象牙等に代表される印材に印面が彫刻されてなるものである。
硬質印鑑は捺印前に印面に朱肉を付着させることが必要となり、そのため、使い勝手が悪くなる問題がある。
【発明の開示】
【発明が解決しようとする課題】
【０００８】
本発明の印鑑付筆記具は、軸筒の先方に少なくとも一本をシャープペンシル筆記体とした複数の筆記体を搭載して、軸先から選択的に筆記体の先端部を出没可能とし、シャープペンシル筆記体の先端部を軸先から突出したときに、後端をノックして芯の繰り出しが可能であり、さらに、軸筒の後端に硬質印鑑と消しゴムが配設されており、従来の浸透印鑑を使用した印鑑付筆記具と比べても使い勝手が遜色ないことを課題とする。
【課題を解決するための手段】
【０００９】
本発明は、上記課題を達成する為に以下の構成を有する。
請求項１に記載の発明に係る印鑑付筆記具は、軸筒の先方に少なくとも一本をシャープペンシル筆記体とした複数の筆記体を搭載して、軸先から選択的に筆記体の先端部を出没可能とし、シャープペンシル筆記体の先端部を軸先から突出したときに、軸筒の後端に設けた後軸を前後動して芯の繰出しが可能となり、さらに、後軸の後端に印鑑が止着されると共に、後軸の外周部に万年筆形の長いキャップが着脱可能に固定されてなる印鑑付筆記具に於いて、前記後軸の後端に印面を後端側にして硬質印鑑が止着され、その印面に小間隔で対面する状態で前面に朱肉を保持したノック筒が前記キャップ内孔部後端にバネ力によってキャップに対して常時後方に附勢されると共に、バネ力に抗して前記小間隔より適宜大きな間隔で前進可能となした後、さらなる前進が阻止されるように係止部が設けられ、またノック筒の後端部がキャップ後端から突出するように設けられて、その後端部に消しゴムが止着され、さらに消しゴムを被覆して後端部外周にノックカバーが止着されてなる。
【００１０】
請求項２に記載の発明に係る印鑑付筆記具は、請求項１に記載の印鑑付筆記具に於いて、軸筒は先軸と中軸からなり、先軸と中軸の先方を互いに回転不能且つ抜け止め状態に嵌着する係合部を夫々設けて両者を固定し、中軸に一体化したガイド筒とガイド筒の複数の案内溝に、それぞれ筆記体をガイド筒と摺動コマとの間にリターンスプリングを附勢して前後動自在に嵌装し、軸方向に変位するカム斜面を前端部に円周状に設けた円筒カムをガイド筒または中軸に対し回転且つ軸推移可能に抜け止めし、各摺動コマをカム斜面に当接させることにより先軸または中軸に対する円筒カムの回転によって交互に前後動させて、各筆記体の先端を先軸の先端口から選択的に出没可能とした筆記具であって、前記円筒カムの後方外周に一体的に後軸が設けられてなる。
【発明の効果】
【００１１】
以上のように、本発明の印鑑付筆記具は、軸筒の先方に少なくとも一本をシャープペンシル筆記体とした複数の筆記体を搭載して、軸先から選択的に筆記体の先端部を出没可能とし、シャープペンシル筆記体の先端部を軸先から突出したときに、軸筒の後端をノックして芯の繰り出しが可能であり、さらに、後軸の後端に硬質印鑑が止着されると共に、後軸の外周部に後端閉塞状の万年筆形の長いキャップが着脱可能に固定され、その印面に小間隔で対面する状態で前面に朱肉を保持したノック筒が前記キャップ内孔部後端にバネ力によってキャップに対して常時後方に附勢されると共に、バネ力に抗して前記小間隔より適宜大きな間隔で前進可能となした後、さらなる前進が阻止されるように係止部が設けられてなるので、ノック筒が強くノックされても印面への朱肉の付着は適性であり、また、未使用状態では印面と朱肉の間が非接触状態にあるので、常時接触した状態のもののように朱肉が溢れたり印面に朱肉が不必要に付着する問題が無く、また、ノック筒の後端部に突出した消しゴムを仕様する際にも同様に問題が無い。従って、従来の浸透印鑑を使用した印鑑付筆記具と比べても使い勝手に遜色がない。
【発明を実施するための最良の形態】
【００１２】
先ず、図１乃至図４は本発明の実施例を示している。
本発明の印鑑付筆記具はガイド筒２を一体に備えた中軸１、先軸３、円筒カム５を一体に備えた後軸４、一対の摺動コマ６ａ、６ｂ、シャープペンシル筆記体７、ボールペン筆記体８、印鑑３７、キャップ４０、ノック筒４１などを主な構成要素とする。
【００１３】
先ず、中軸１は樹脂製で、図１に示すように、略中央部から後端まで側面に開口した軸方向に長い案内溝９ａとそれと反対側の側面に同様の案内溝９ｂを有したガイド筒２が設けられている。ガイド筒２の前半部には各案内溝９ａ、９ｂと連通して孔３２ａ、３２ｂを有した仕切り部１６を備えて前端を開口した筒部１０が設けられ、筒部１０の後端に段部３１を有して筒部１０の外周部には膨出状の係合部１３が形成されている。
【００１４】
また、中軸１の後方側面には図２に示すように縦溝１８が先方の傾斜面５３を介して巾狭部５４が周溝１９に接続されて略Ｌの字状の窓部が穿設されている。また後述するが、円筒カム５の突起１７は縦溝１８より挿入され、突起１７が傾斜面５３を弾性的に拡開して巾狭部５４を通過して周溝１９内に入る。円筒カム５は突起１７が周溝１９の周方向の後壁に当接しながら回転して、シャープペンシル筆記体７またはボールペン筆記体８の筆記部が先軸先端口から交互に出没することになる。
【００１５】
また、周溝１９はシャープペンシル筆記体７が突出するときの突起１７の位置で円筒カム５が軸推移可能なように巾広溝５５が設けられ、筆記体の収納時またはボールペン筆記体８が突出するときの突起１７の位置で円筒カム５が略軸推移不可となるように周溝１９の後壁５７ａと後壁５７ｃとの間に傾斜面５７ｂが接続されて巾狭溝５６が設けられている。また、後述するが、前後動の前端で後軸４の壁２０が中軸１の後端に当接して突起１７の前端が周溝１９の前壁５８に当接しないように設定されている。
【００１６】
先軸３は、前方が先細状で、内孔部先端には筆記先端部が出没する先端口が設けられている。また、後端孔には、前記ガイド筒前方の筒部１０の外周部に設けられた係合部１３と迎合して筒部１０と抜け止め且つ回転止めされる係合溝１２が設けられている。尚、筒部１０と先軸３は適宜な力で着脱可能に固定される。尚、シャープペンシル筆記体７に芯を補充、あるいはボールペン筆記体８を交換する際には、中軸１に対し先軸３を引き抜くが、後述する後軸４とキャップ４０の着脱との関係から操作を単純化する為に筒部１０と先軸３の後端孔との接合は螺子とするのが望ましい。
【００１７】
後軸４は樹脂製で、先端に円筒カム５を一体に有している。円筒カム５は筒状を成し、前端縁に円周状に前後に変位するカム斜面１４を有し、カム斜面１４の最前端部には切欠１５が形成されている。また、円筒カム５の側面には前記中軸１の縦溝１８に挿入して弾性的に周溝１９に嵌入して一定範囲（略１８０度）で回転且つシャープペンシル筆記体の先端部が突出する状態で軸推移可能に抜け止めする突起１７が形成されている。
【００１８】
また、後軸４は前記円筒カム５の後方に壁２０で接続されて一体となった前側の外筒部３３と後側の外筒部３４が設けられ、また、外筒部３３の前端には後述するキャップ４０の前端を当接する鍔部３５が形成され、また外周部にはキャップ４０の内周部と係合する係合部３６が形成されている。
【００１９】
尚、キャップ４０を樹脂製とすれば前記係合部３６は凹凸状の係合部、リブ等の摩擦係合、螺子等が選択可能である。キャップ４０を金属製とすれば外筒部３３の外周に金属製の筒体を固着して、その筒体の周面にリブ状の係合部を設けるか、キャップ４０の内周部に係合部を有したカツラを設置する等種々の手段が選択される。
【００２０】
印鑑３７は、硬質印鑑で、柘植や象牙等に代表される印材に印面が彫刻されてなり、朱肉を付着して捺印する印面３９を有している。
印鑑３７は、前記外筒部３４の内面に印面３８を後端側にして着脱可能に嵌着される。  
【００２１】
ノック筒４１は、前端に朱肉収容部４２を有し、その後方に前軸部４３ａ、鍔部４３ｃ、後軸部４３ｂが一体に設けられてなる。また、朱肉収容部４２の後端と適宜な間隔を有して前軸部４３ａの前端に段部４３ｄが設けられている。
キャップ４０の内孔部後方に段部４４ａの前端を前記朱肉収容部４２の後端に当接させた状態で固定具４４が固着されると共に、段部４４ａの後端と鍔部４３ｃの前端との間にスプリング４８が敷設されて、ノック筒４１は常時キャップ４０の後方に附勢され、鍔部４３ｃの後端はキャップ４０後端の内段部４６に略当接する。
また、ノック筒の後軸部４３ｂはキャップ４０の後端から適宜突出すると共に、その後端孔に止め具５２で止着された消しゴム５１が固定されている。
また、後軸部４３ｂの外周部には弾性片状の係止部４７ｂを所定箇所に備えた係止バネ４７が固定され、その外周に天冠５０が被着されたノックカバー４９が着脱可能に嵌着されている。尚、天冠５０は設けない場合もある。
【００２２】
また、前記外筒部３３の外周にキャップ４０が嵌挿され、キャップ４０の前端が鍔部３５に当接し、前記係合部３６でキャップ４０は着脱可能に固定される。
この状態で、印鑑３７の印面３８と朱肉４５の前面との間が小間隔で対面し、また、前記ノック筒４１の段部４３ｄと固定具４４の段部４４ａとの間隔が前記小間隔より適宜大きめに設定されている。このとき、ノック筒４１が前進したときに朱肉４５が印面３８に所定量食い込み、適量の朱肉が印面に付着する。また、段部４３ｄが段部４４ａに当接（係止）した時点でノック筒４１の前進が阻止可能となる。
【００２３】
また、摺動コマ６ａは、外面に突起２２ａを有して、突起２２ａの後端面には中央部が突出してその両側が前述した円筒カム５のカム斜面１４と略同勾配のカム斜面を有している。また、芯パイプ２３のフランジ部２４に当接して、芯パイプ２３の後方を長く突出して嵌着する孔が設けられている。また、摺動コマ６ｂは摺動コマ６ａと同様に突起２２ｂとカム斜面を有し、先端にはボールペン筆記体８の後端を止着する係止部２６が設けられている。尚、係止部はパイプ状に成して筆記体の後端を嵌着することも可能である。
【００２４】
シャープペンシル筆記体７は、一般的なチャック機構を内蔵し、後端にチャック機構と連結した継手２９を介して芯パイプ２３に接合し、芯パイプ２３の後方に設けたフランジ部２４に当接して摺動コマ６が嵌着され、摺動コマ６ａの後端から突出した芯パイプ２３の後端孔は尾栓２５等で閉塞されている。芯の繰り出しは、シャープペンシル筆記体７の先端の段部２８が先軸３の内段部２７に当接した状態で、摺動コマ６ａの軸推移によりチャックを移動して行われる。
【００２５】
次に、組立順序で説明すると、シャープペンシル筆記体７、ボールペン筆記体８は後端にそれぞれの摺動コマ６ａ、６ｂを接続させて、前述の中軸のガイド筒２の各案内溝９ａ、９ｂに移動自在に嵌装され、各摺動コマ６ａ、６ｂの前端面と案内溝９ａ、９ｂ前面の仕切り部１６との間に介装したリターンスプリング３０ａ、３０ｂにより後方へ附勢される。
【００２６】
後軸４は円筒カム５を中軸１の後端孔に挿入して突起１７を周溝１９に弾性的に嵌入させて、中軸１に対して円周方向に略１８０度で回転自在且つ抜け止めして止着される。
また、シャープペンシル筆記体７が突出した状態で、後軸４は中軸１に対して芯繰り出しに必要なストローク分軸推移可能と成され、筆記体の収納時またはボールペン筆記体８の突出した状態で軸推移を不可と成される。
各摺動コマ６ａ、６ｂは常時リターンスプリング３０ａ、３０ｂによって後方へ附勢されているので、常にその突起２２ａ、２２ｂのカム斜面を円筒カム５のカム斜面１４に接触した状態を保っている。
【００２７】
尚、上述した実施形態とは別に、円筒カムの内孔に鍔状の突部を設け、ガイド筒の後端外周に周溝を設けて、周溝に突部を弾性的に嵌入させて、円筒カムをガイド筒に対し回転自在で抜け止めするように構成することも可能である。
【００２８】
また、中軸１の段部３１の前面に先軸３の後端面が当接状態で、筒部１０の係合部１３が先軸３の係合溝１２に弾性的に嵌着して、先軸３と中軸１が回転止め且つ抜け止め状態に固定される。尚、先軸３は適宜な力で着脱可能になっている。この状態で、先軸３または中軸１に対して後軸４を一方に回転すると、摺動コマ６ａが前進して円筒カム５のカム斜面１４の最前端の切欠１５が一方のシャープペンシル筆記体７の摺動コマ６ａの突起２２ａに係止して筆記先端部が先軸先端口から突出状態になる。また、先軸３または中軸１に対して後軸４を他方に回転すると、摺動コマ６ａが後退してシャープペンシル筆記体７の筆記先端部が先軸先端口から没入すると共に、摺動コマ６ｂが前進して他方のボールペン筆記体８の筆記先端部が先軸先端口から突出する。
【００２９】
後軸４にキャップ４０を嵌着した状態で説明すれば、先軸３または中軸１に対してキャップ４０を一方に回転すると、摺動コマ６ａが前進して円筒カム５のカム斜面１４の最前端の切欠１５が一方のシャープペンシル筆記体７の摺動コマ６ａの突起２２ａに係止して筆記先端部が先軸先端口から突出状態になる。先軸３及び中軸１に対してキャップ４０の後端（天冠５０の後端）をノックすればシャープペンシル筆記体７の段部２８が先軸３の内段部２７に当接した状態でチャック機構部が作動して芯が繰り出される。
また、先軸３または中軸１に対してキャップ４０を他方に回転すると、摺動コマ６ａが後退してシャープペンシル筆記体７の筆記先端部が先軸先端口から没入すると共に、摺動コマ６ｂが前進して他方のボールペン筆記体８の筆記先端部が先軸先端口から突出する。  
【００３０】
また、図３及び図４は円筒カムの突起１７と中軸１ａの係合状態を示す他の対応例を示している。この場合には、周溝６０に突起１７を嵌装する手段として、中軸１ａの後端から突起１７を嵌装するガイド溝６１の上壁に傾斜面６３を有した仕切り壁６２を設けている。仕切り壁６２を設けた理由は、上記係合部に於ける中軸１ａの剛性を強化することにある。
【００３１】
（作用）
上述したように、先軸３または中軸１に対してキャップ４０を一方に回転すると、図１に示すように円筒カム５のカム斜面１４の先端に設けた切欠１５が一方のシャープペンシル筆記体７の摺動コマ６ａと係合してその筆記先端部を先軸先端口から突出する。
このとき、円筒カム５の突起１７は中軸１の周溝１９で巾広溝５５に位置している。
この状態で天冠５０の後端をノックして円筒カム５を前進すると、その動作が摺動コマ６ａ、芯パイプ２３、シャープペンシル筆記体７に伝達され、筆記先端部の段部２８が先軸３の内段部２７に当接した状態から継ぎ手２９と共にチャックが前進して芯が繰り出される。
ところで、天冠５０の後端をノックするとノック筒４１の段部４３ｄと固定具４４の段部４４ａとの間隔が前記小間隔より適宜大きめに設定されているので、ノック筒４１が前進して朱肉４５が印面３８に所定量食い込み、適量の朱肉が印面に付着することになる。  従って、特に意識して印面に朱肉を付着させる為のノックをしなくても通常は印面に潤沢に朱肉が付着される。
【００３２】
また、先軸３または中軸１に対してキャップ４０を他方に回転すると、シャープペンシル筆記体７が後退し、代わりにボールペン筆記体８の筆記先端部が先軸先端口から突出する。尚、筆記体収納時、ボールペン筆記体８の突出時に於いては、突起１７が周溝１９の巾狭溝５６に位置して、ノックして中軸１の後端に後軸４の壁２０が当接した状態で突起１７が周溝１９の前壁５８に当接しないので、突起等が破壊することはない。
【００３３】
次に、後軸４の外筒部３３からキャップ４０を外すと印鑑３７の印面３８が露出するので、印面３８を下に向けて捺印できる。また、キャップ４０後端の天冠付きノックカバー４９をを外すと消しゴム５１が露出し、シャープペンシルを使用した際の誤字の修正を行うことができる。
ノック筒４１の後軸部４３ｂからノックカバー４９を外したときに、後軸部４３ｂの外周に固定された係止バネ４７の係止部４７ａがキャップ４０の後端に略当接状態となって消しゴム５１に押圧が掛かってもノック筒４１が後退しない。従って、朱肉４５の前面が印面３８に接触しないので、消しゴムの消し作業で激しくこじられても印面３８が朱肉で汚れという懸念がまったく無い。ノックカバー４９が被着された状態では、係止部４７ａが弾性的に変形され、係止部４７ａとキャップ４０の後端との当接状態が解除されて、ノック筒４１は所定間隔で前進可能となる。
また、係止バネ４７はバネ性に優れた金属製が望ましいが、樹脂製のノック筒に一体に形成することも可能である。
【００３４】
（その他の実施形態）
ところで、朱肉を搭載したノック部位の構成は上述した実施形態に限定されないものである。例えば、ノック筒４１をノックしたときに段部４３ｄが固定具４４の段部４４ａに当接した時点で前進が阻止されるので、通常は消しゴムの消し作業で印面３８が朱肉で極端に汚れて問題となることは防止できる。従って、係止バネ４７は設けないでも済む場合がある。また、キャップに対するノック筒の取付け構造や前進阻止の為の当接構造は上述した実施形態に限定されず設けることが可能である。
また、天冠５０の前端がキャップ４０の後端に当接するように設けることで、キャップとノック筒との間の当接部を省くことも可能である。
また、複数の筆記体を搭載して、軸先から選択的に筆記体の先端部を出没可能とする機構は、上述した円筒カムを回転する構造に限らず、スライダー式、ノック式、振り子式など従来の複式筆記具に使用される構造が適用可能である。
【図面の簡単な説明】
【００３５】
【図１】本発明の実施例を示す全体の縦断面図で、一部非断面となっている。また、後端のノック部位において、ノックカバーを外した状態と嵌着した状態が半断面で示されている。
【図２】円筒カムの突起と中軸の周溝との係合状態を示す説明図である。
【図３】円筒カムの突起と中軸の周溝との係合状態の他の対応例を示す説明図である。
【図４】図３に於ける係合部の要部断面図である。
【符号の説明】
【００３６】
１      中軸
１ａ    中軸
２      ガイド筒
３      先軸
４      後軸
５      円筒カム
６ａ    摺動コマ
６ｂ    摺動コマ
７      シャープペンシル筆記体
８      ボールペン筆記体
９ａ    案内溝
９ｂ    案内溝
１０    筒部
１１    ノックスプリング
１２    係合溝
１３    係合部
１４    カム斜面
１５    切欠
１６    仕切り部
１７    突起
１８    縦溝
１９    周溝
２０    壁
２２ａ  突起
２２ｂ  突起
２３    芯パイプ
２４    フランジ部
２５    尾栓
２６    係止部
２７    内段部
２８    段部
２９    継ぎ手
３０ａ  リターンスプリング
３０ｂ  リターンスプリング
３１    段部
３２ａ  孔
３２ｂ  孔
３３    外筒部
３４    外筒部
３５    鍔部
３６    係合部
３７    印鑑
３８    印面
３９    クリップ
４０    キャップ
４１    ノック筒
４２    朱肉収容部
４３ａ  前軸部
４３ｂ  後軸部
４３ｃ  鍔部
４３ｄ  段部
４３ｅ  孔部
４４    固定具
４４ａ  段部
４５    朱肉
４６    内段部
４７    係止バネ
４７ａ  係止部
４８    スプリング
４９    ノックカバー
５０    天冠
５１    消しゴム
５２    止め具
５３    傾斜面
５４    巾狭部
５５    巾広溝
５６    巾狭溝
５７ａ  後壁
５７ｂ  傾斜面
５７ｃ  後壁
５８    前壁
６０    周溝
６１    ガイド溝
６２    仕切り壁
６３    傾斜面
【図１】
2006218662.tif 000003
【図２】
2006218662.tif 000004
【図３】
2006218662.tif 000005
【図４】
2006218662.tif 000006